(57)【特許請求の範囲】
【請求項１】
上面に排水勾配を形成したマットスラブ上に、平板部から多数の脚部が下方に膨出している形態の導水パネルを敷設し、該導水パネル上にトッピングコンクリートを打設することにより、該トッピングコンクリートと前記マットスラブとの間に湧水を通すための通水路を確保してなるマットスラブ構造であって、
前記通水路に対する保守管理用の点検口を要所に設けてなり、
前記点検口は、前記通水路に通じる開口部を有する枠体を前記マットスラブ上に設置してその周囲に前記トッピングコンクリートを打設するとともに、該枠体上に蓋体を開閉可能に設置する構成とされてなることを特徴とするマットスラブ構造。
【請求項２】
前記枠体の外形寸法を前記導水パネルの外形寸法に合致させ、前記マットスラブ上に敷き並べられる多数の導水パネルのいずれかに代えて前記枠体を配置してそこに前記点検口を設置する構成としたことを特徴とする請求項１記載のマットスラブ構造。
【発明の詳細な説明】
【０００１】
【発明の属する技術分野】
本発明は建物の基礎としてのマットスラブ構造に関する。
【０００２】
【従来の技術】
周知のように、建物の基礎の構造としては基礎梁の上下に最下階のスラブと耐圧盤を設ける二重スラブ構造が最も一般的であるが、近年においては施工の簡略化を主たる目的として図５に示すようなマットスラブ１からなるマットスラブ構造も普及しつつある。
【０００３】
従来一般の二重スラブ構造においては耐圧盤と最下階のスラブとの間に自ずと形成される空間を湧水ピットとして利用して湧水を支障なく処理できるが、図５に示すようなマットスラブ構造では当然に湧水ピットが確保できず、そのためマットスラブ１上に湧水を通すための通水路２を確保し、その通水路２を通して湧水を湧水槽３に集水して排水ポンプ４により排水するようにしている。
【０００４】
すなわち、従来のマットスラブ構造では、図６にその詳細を示すようにマットスラブ１の上面にたとえば１／２００程度の排水勾配を確保しておき、そのマットスラブ１上に図７に示すような導水パネル５を全面的に敷き並べてその上にトッピングコンクリート６を打設するようにしている。導水パネル５は平板部５ａａの下方に多数の脚部５ｂを下方に膨出せしめた形態の樹脂成形板であって、これをマットスラブ１の上面に全面的に敷設してその上にトッピングコンクリート６を打設することで、脚部５ｂがスペーサとして機能して平板部５ａの下面側に通水路２が確保されるのである。
【０００５】
【発明が解決しようとする課題】
ところで、上記のような導水パネル５を用いて形成した通水路２には時間の経過とともに水垢塵が次第に蓄積していくことが想定され、いずれは通水路２が詰まって湧水処理が不能になることも懸念される。そのため、従来においては通水路２の排水勾配や有効高さ寸法については十分な余裕を見込んでいるが、必然的に過剰設計になりがちであるので、有効な改善策が必要であるとされている。
【０００６】
【課題を解決するための手段】
上記事情に鑑み、請求項１の発明は、上面に排水勾配を形成したマットスラブ上に、平板部から多数の脚部が下方に膨出している形態の導水パネルを敷設し、該導水パネル上にトッピングコンクリートを打設することにより、該トッピングコンクリートと前記マットスラブとの間に湧水を通すための通水路を確保してなるマットスラブ構造であって、前記通水路に対する保守管理用の点検口を要所に設け、その点検口を、前記通水路に通じる開口部を有する枠体を前記マットスラブ上に設置してその周囲に前記トッピングコンクリートを打設するとともに、該枠体上に蓋体を開閉可能に設置する構成としたものである。
【０００８】
請求項２の発明は、請求項１の発明における枠体の外形寸法を前記導水パネルの外形寸法に合致させ、前記マットスラブ上に敷き並べられる多数の導水パネルのいずれかに代えて前記枠体を配置してそこに前記点検口を設置するようにしたものである。
【０００９】
【発明の実施の形態】
図１ないし図４を参照して本発明の一実施形態を説明する。本実施形態のマットスラブ構造は図５に示した従来のマットスラブ構造を基本とし、その要所（図２では４箇所）に通水路２に対する保守管理用の点検口７を設けるようにしたものである。
【００１０】
すなわち、本実施形態のマットスラブ構造は、図７に示した導水パネル５を図２に示すようにマットスラブ１上に多数隙間無く敷き並べてその上にトッピングコンクリート６を打設することで湧水を通すための通水路２を確保するものであるが、所望位置には１枚の導水パネル５に相当する寸法の点検口７を設けたものである。
【００１１】
点検口７の詳細を図３および図４に示す。この点検口７は矩形フレーム状の枠体８とその上に開閉可能に取り付けられる蓋体９からなる。枠体８の外形寸法は１枚の導水パネル５の外形寸法と合致しており、点検口７を設置するべき位置にこの枠体８を導水パネル５に代えて配置し、その周囲にトッピングコンクリート６を打設することで枠体８の内側が凹所として残されるようになっている。枠体８はさらに下部枠体１０と上部枠体１１から構成され、上部枠体１１はレベル調整ボルト１２を介して下部枠体１０上に設置され、かつ上部枠体１１の下部が下部枠体１０の内側に嵌合することで両者の水平方向の位置ずれが防止されるようになっている。蓋体９は防水性および防湿性を保持可能な状態で上部枠体１１の内側に装着されるもので、蓋体９上面はトッピングコンクリート６上面と同一仕上とされ、それらの上面レベルは上記レベル調節ボルト１２により面一となるようにされている。符号１３は上部枠体１１と蓋体９との間に介装されるシール材である。
【００１２】
そして、下部枠体１０にはその外側に設けられている通水路２に通じる開口部１４が形成されており、通水路２を流れる湧水の一部は開口部１４を通って点検口７の内側を通過して流れることができるようになっている。
【００１３】
上記のような点検口７によれば蓋体９を開くことで通水路２の保守が可能となる。すなわち、蓋体９を開くことにより点検口７の内側における湧水の流通状態を目視観察できるから、その状況から水垢塵等の蓄積状況や通水路２の詰まりの有無等を確認することができる。そして、詰まりが生じている場合やその懸念があるような場合には、高圧洗浄機を用いて高圧洗浄水を開口部１４から通水路２に噴射したり、あるいはワイヤー状のパイプクリーナーを通水路２に挿入して夾雑物を掻き出すことにより、詰まりを解消させ、また詰まりの発生を未然に防止することが可能である。
【００１４】
このように、マットスラブ１上に設ける通水路２に対して保守管理用の点検口７を設置することにより、通水路２の日常的な保守管理や清掃を容易に行うことが可能となり、詰まりが生じた際にはその修復も可能であるから、従来のように保守が不可能であることを前提としての過剰な余裕を見込む必要がなく、最適設計が可能となるので合理的かつ経済的である。
【００１５】
特に、上記の点検口７を設けるに当たっては導水パネル５を敷き並べる際に枠体８をマットスラブ１上に設置してその周囲にトッピングコンクリート６を打設するのみで良いから、さしたる費用や施工手間を必要とせず、しかも枠体８の外形寸法を導水パネル５と同一にしておくことにより任意の位置の導水パネル５を枠体８に置き換えることのみで点検口７を所望位置に自由に設置することができる。
【００１６】
なお、導水パネル５や点検口７の形態や寸法、特に点検口７における枠体８の構成は、上記実施形態に限定されることなく適宜の設計的変更が可能である。勿論、点検口７の設置位置や設置数はマットスラブ１の面積や通水経路を考慮して最適設計すれば良い。
【００１７】
【発明の効果】
請求項１の発明のマットスラブ構造は、マットスラブ上に導水パネルにより形成する通水路の要所に保守管理用の点検口を設けたので、通水路の日常的な保守管理や清掃が可能となり、詰まりが生じた際にはその修復も可能であるから、従来のように保守が不可能であることを前提としての過剰な余裕を見込む必要がなく、最適設計が可能となるので合理的かつ経済的である。
【００１８】
特に、上記の点検口を、通水路に通じる開口部を有する枠体をマットスラブ上に設置してその枠体上に蓋体を開閉可能に設置する構成としたから、導水パネルを敷き並べる際に枠体をマットスラブ上に設置してその周囲にトッピングコンクリートを打設するのみで容易に点検口を設置でき、さしたる費用や施工手間を必要としない。
【００１９】
請求項２の発明は、請求項１の発明のマットスラブ構造における枠体の外形寸法を導水パネルのそれと同一にしたので、任意の位置の導水パネルを枠体に置き換えることのみで点検口を所望位置に自由に設置することができる。
【図面の簡単な説明】
【図１】  本発明の実施形態であるマットスラブ構造を示す断面図である。
【図２】  同、平面図である
【図３】  同、点検口の拡大断面図である。
【図４】  同、平面図である。
【図５】  従来のマットスラブ構造を示す断面図である。
【図６】  同、拡大断面図である。
【図７】  導水パネルの一例を示す図である。
【符号の説明】
１  マットスラブ
２  通水路
５  導水パネル
５ａ  平板部
５ｂ  脚部
６  トッピングコンクリート
７  点検口
８  枠体
９  蓋体
１０  下部枠体
１１  上部枠体
１２  レベル調節ボルト
１３  シール材
１４  開口部
【図１】
0004131449.tif 000002
【図２】
0004131449.tif 000003
【図３】
0004131449.tif 000004
【図４】
0004131449.tif 000005
【図５】
0004131449.tif 000006
【図６】
0004131449.tif 000007
【図７】
0004131449.tif 000008